(57)【要約】【課題】  フレキシブルプリントサーキットに曲げ応力等が加わった場合でも、ランド部や半田にクラックが入ったりして接続不良が起こったりするのを防止する。【解決手段】  接続相手の端子に接続する端子接続部２を備えたフレキシブルプリントサーキット１において、上記端子接続部２の周りを囲むように補強部３を設け、該補強部３で上記端子接続部２を保護した。特に、上記端子接続部２に、上記フレキシブルプリントサーキット１のベースフィルム１１およびランド部１３ａ〜１３ｄを貫通する端子挿入孔１４ａ〜１４ｄを設け、これら端子挿入孔１４ａ〜１４ｄに上記フレキシブルプリントサーキット１を接続する接続相手の端子２０２ａ〜２０２ｄを挿入して、その先端部を上記フレキシブルプリントサーキット１上に突出させ、接続相手の端子２０２ａ〜２０２ｄの先端部と上記ランド部１３ａ〜１３ｄを半田１０３で接続し、端子接続部２を補強部３で囲んで保護した。【選択図】  図４
2006324103.tif 000002
【特許請求の範囲】
【請求項１】
接続相手の端子に接続する端子接続部を備えたフレキシブルプリントサーキットにおいて、
上記端子接続部の周りを囲むように補強部を設けたことを特徴とするフレキシブルプリントサーキット。
【請求項２】
上記フレキシブルプリントサーキットは、
ベースフィルムと、
上記ベースフィルム上にプリントされた回路パターンと、を備え、
上記端子接続部は、
上記ベースフィルムを貫通する端子挿入孔と、
上記回路パターンの端部に設けられていて該回路パターンを接続相手の端子に接続するランド部と、により構成されていることを特徴とする請求項１に記載のフレキシブルプリントサーキット。
【請求項３】
上記補強部は、環状に形成されていて上記接続相手の端子台の外周を囲むように配置されていることを特徴とする請求項１に記載のフレキシブルプリントサーキット。
【請求項４】
上記補強部の一部は、切り欠かれていることを特徴とする請求項３に記載のフレキシブルプリントサーキット。
【請求項５】
接続相手の端子にフレキシブルプリントサーキットの端子接続部を接続するフレキシブルプリントサーキットの接続構造において、
上記フレキシブルプリントサーキットに上記端子接続部の周りを囲むように環状の補強部を設け、該環状の補強部の内側に上記接続相手の端子台を配置し、該端子台から突出した端子を上記フレキシブルプリントサーキットに設けた端子挿入孔に挿入してその先端を上記フレキシブルプリントサーキットの上面に突出させて、上記先端部を上記フレキシブルプリントサーキットの上面のランド部に半田付けしたたことを特徴とするフレキシブルプリントサーキットの接続構造。
【請求項６】
ステッピングモータの端子にモータ制御用のフレキシブルプリントサーキットの端子接続部を接続するフレキシブルプリントサーキットの接続構造において、
上記フレキシブルプリントサーキットに上記端子接続部の周りを囲むように環状の補強部を設け、該環状の補強部の内側に上記ステッピングモータの端子台を配置し、該端子台から突出した端子を上記フレキシブルプリントサーキットに設けた端子挿入孔に挿入してその先端を上記フレキシブルプリントサーキットの上面に突出させて、上記先端部を上記フレキシブルプリントサーキットの上面のランド部に半田付けしたことを特徴とするフレキシブルプリントサーキットの接続構造。
【発明の詳細な説明】
【技術分野】
【０００１】
本発明は、各種の電子機器に使用されるフレキシブルプリントサーキットおよび該フレキシブルプリントサーキットをステッピングモータ等の端子に接続する接続構造に関するものである。
【背景技術】
【０００２】
図１１に示すように、一般にフレキシブルプリントサーキット１０１は、接続相手部材、例えばステッピングモータ２０１の接続端子２０２を挿入する端子挿入孔１０２を備えている。そして、上記端子挿入孔１０２に上記ステッピングモータ２０１の接続端子２０２を挿入して、該接続端子２０２の先端部を半田１０３で上記フレキシブルプリントサーキット１０１のランド部１０４に接続する構成になっている。（例えば特許文献１）
【特許文献１】特開平５−５６５９９号公報（段落０００９、段落００１１、図１、図４等）
【発明の開示】
【発明が解決しようとする課題】
【０００３】
ところで、上記従来のフレキシブルプリントサーキットおよびフレキシブルプリントサーキットの接続構造にあっては、上述したように、上記端子２０２の先端部を上記フレキシブルプリントサーキット１０１の上面から突出させて半田１０３により上記ランド部１０４に接続する構成になっているために、例えば、上記フレキシブルプリントサーキット１０１に、図１１に示すような引張力Ｐ１や曲げ応力Ｐ２が加わった場合に、上記力Ｐ１やＰ２は、上記半田１０３による端子２０２とランド部１０４の接続部分に集中し、上記ランド部１０４や半田１０３にクラックが入ったり上記半田１０３が剥離したりして所謂接続不良が起こり、製品の製造工程においてトラブル発生の原因になるとともに、市場に出てから上記のような問題点が発生すると製品の信頼性が著しく損なわれるという問題点がった。
【０００４】
本発明の目的は、上記従来の問題点を解決し、上記フレキシブルプリントサーキットに曲げ応力等が加わった場合でも、ランド部や半田にクラックが入ったり、半田が剥離したりして接続不良が起こるのを防止することのできるフレキシブルプリントサーキットおよびフレキシブルプリントサーキットの接続構造を提供することにある。
【課題を解決するための手段】
【０００５】
本発明は、接続相手の端子に接続する端子接続部を備えたフレキシブルプリントサーキットにおいて、上記端子接続部の周りを囲むように補強部を設け、上記端子接続部を上記補強部で保護した。上記端子接続部を、上記フレキシブルプリントサーキットのベースフィルムを貫通する端子挿入孔と、上記回路パターンの端部に設けたランド部と、で構成した。上記端子接続部を補強部で囲んだ。上記補強部を、環状に形成し、該環状の補強部の中央部に上記端子接続部を位置させた。
【発明の効果】
【０００６】
上記端子接続部の周りを囲むように補強部を設けたので、上記フレキシブルプリントサーキットに引張力や曲げ応力等が掛かった場合でも、上記力を上記補強部で遮断、分散させて、上記力が直接的に上記端子接続部に作用するのを防止して上記端子接続部を保護する。特に、上記フレキシブルプリントサーキットに設けた端子挿入孔に、接続相手の端子を挿入して、その先端部を上記フレキシブルプリントサーキット上に突出させ、上記接続相手の端子の先端部と上記ランド部を半田付けすることによりフレキシブルプリントサーキットと接続相手の端子を容易に接続することができると共に、上記端子接続部を補強部で囲んで保護したので、上記フレキシブルプリントサーキットに掛かる引張力や曲げ応力等によって上記ランド部や半田付け部にクラック等が発生したり、半田付け部が剥離したりするのを防止する。
【０００７】
上記補強部は、環状に形成することにより上記端子接続部に対して四方、八方いずれの方向から外力が加わった場合でも、上記環状の補強部の中央部に位置する上記端子接続部を保護する。
【発明を実施するための最良の形態】
【０００８】
図１は本発明のフレキシブルプリントサーキット（ＦＰＣ）１を示す斜視図である。上記フレキシブルプリントサーキット１は、接続相手としてのステッピングモータ２０１の第１〜第４の端子２０２ａ〜２０２ｄに接続する端子接続部２を備えている。上記フレキシブルプリントサーキット１の裏面には上記端子接続部２を囲むように補強部３が設けられている。
【０００９】
図２に拡大して示すように、上記フレキシブルプリントサーキット１は、ベースフィルム１１と、該ベースフィルム１１上にプリントされた回路パターン１２と、該回路パターン１２を上記ステッピングモータ２０１の第１〜第４の端子２０２ａ〜２０２ｄに接続する第１〜第４のランド部１３ａ〜１３ｄを備えている。
【００１０】
上記端子接続部２は、上記ベースフィルム１１を貫通する第１〜第４の端子挿入孔１４ａ〜１４ｄと、上記第１〜第４のランド部１３ａ〜１３ｄにより形成されている。
【００１１】
図３に示すように、上記補強部３は、上記ベースフィルム１１の裏面側に設けられていて、上記第１〜第４の端子挿入孔１４ａ〜１４ｄおよび上記第１〜第４のランド部１３ａ〜１３ｄを囲むように環状に形成されている。
【００１２】
上記補強部３は、ポリイミド等の合成樹脂により略正方形の枠型に形成されていて、熱硬化性接着剤４により上記フレキシブルプリントサーキット１の裏面に取り付けられている。
【００１３】
図４に示すように、上記フレキシブルプリントサーキット１は、上記第１〜第４の端子挿入孔１４ａ〜１４ｄに上記ステッピングモータ２０１の第１〜第４の端子２０２ａ〜２０２ｄを挿入し、これら第１〜第４の端子２０２ａ〜２０２ｄの先端部を上記フレキシブルプリントサーキット１の表面から突出させて該突出部を半田１０３で上記第１〜第４のランド部１３ａ〜１３ｄに接続することにより上記ステッピングモータ２０１に接続される。このとき、上記略正方形の枠型の補強部３の内側に上記ステッピングモータ２０１の端子台２０３が嵌まり込んで上記フレキシブルプリントサーキット１の位置決めが為される。
【００１４】
図５、図６に示すように、上記ステッピングモータ２０１は、ディスクドライブ装置３０１において、ターンテーブル３０２上にチャッキングされたディスク３０３の半径方向にピックアップ３０４を移動させるリードスクリュー３０５の駆動用モータとして使用されている。なお、図１、図２に示すように、上記ステッピングモータ２０１は、Ａ相２１Ａ，Ｂ相２１Ｂの２相ＰＭ形ステッピングモータとして構成されていて、上記Ａ相２１Ａのコイルの巻き始めと巻き終わりが上記第１、第２の端子２０２ａ、２０２ｂに接続され、上記Ｂ相２１Ｂのコイルの巻き始めと巻き終わりが上記第３、第４の端子２０２ｃ、２０２ｄに接続されている。
【００１５】
実施例のフレキシブルプリントサーキットおよびフレキシブルプリントサーキットの接続構造は上述のような構成であって、例えば図７に示すように、上記フレキシブルプリントサーキット１に、引張力Ｐ１が加わった場合に、上記補強部３の内周面３ａが上記ステッピングモータ２０１の端子台２０３の外周面２０３ａに接触して、上記力Ｐ１が上記半田１０３による端子２０２とランド部１３ａ〜１３ｄの接続部分に作用するのを防止する。
【００１６】
また、図８に示すように、上記フレキシブルプリントサーキット１に、曲げ応力Ｐ２が加わった場合に、上記フレキシブルプリントサーキット１は、上記補強部３の外周側で湾曲して、上記力Ｐ２が上記半田１０３による端子２０２とランド部１３ａ〜１３ｄの接続部分に作用するのを防止する。
【００１７】
なお、上記実施例では、上記補強部３を略正方形の枠型に形成した場合を示したが、上記補強部３は、図９に示すように、略正方形の枠型の一部を切り欠いて略コ字状に形成し、或いは複数箇所を間欠的に切り欠いたもの、円形状のもの、その他の形状のものであってもよい。また、図１０に示すように、上記補強部３内に上記ステッピングモータ２０１の端子台２０３に更に深く嵌め込んで、上記フレキシブルプリントサーキット１のベースフィルム１１の下面を上記ステッピングモータ２０１の表面に接触させる構成にしてもよい。
【図面の簡単な説明】
【００１８】
【図１】フレキシブルプリントサーキットおよびステッピングモータの斜視図。
【図２】フレキシブルプリントサーキットの要部の拡大図。
【図３】フレキシブルプリントサーキットを裏側から見た斜視図。
【図４】フレキシブルプリントサーキットを接続した状態の断面図。
【図５】ディスクドライブ装置の要部の平面図。
【図６】ディスクドライブ装置の要部の底面図。
【図７】本発明の効果を示す説明図。
【図８】本発明の効果を示す説明図。
【図９】他の実施例の断面図。
【図１０】他の実施例の断面図。
【図１１】従来例の断面図。
【符号の説明】
【００１９】
１…フレキシブルプリントサーキット、２…端子接続部、３…補強部、１１…ベースフィルム、１２…回路パターン、１３ａ〜１３ｄ…第１〜第４のランド部、１４ａ〜１４ｄ…第１〜第４の端子挿入孔、１０３…半田、２０１…ステッピングモータ、２０２ａ〜２０２ｄ…第１〜第４の端子、２０３…端子台。
【図１】
2006324103.tif 000003
【図２】
2006324103.tif 000004
【図３】
2006324103.tif 000005
【図４】
2006324103.tif 000006
【図５】
2006324103.tif 000007
【図６】
2006324103.tif 000008
【図７】
2006324103.tif 000009
【図８】
2006324103.tif 000010
【図９】
2006324103.tif 000011
【図１０】
2006324103.tif 000012
【図１１】
2006324103.tif 000013